(57)【要約】【課題】  祈願内容が家族や知人の目に触れることがないと共に、自分の部屋等の身近で目の届く所におき、祈願の強い気持ちが薄れることなく、祈願内容の目的に向けて向上・努力の心の支えとしての価値を有する祈願動物人形とする。【解決手段】  口もとの一方の側部から他方の側部に孔５が穿設された動物人形１と、孔５に挿し込まれ祈願内容を記載する巻紙２から成る。【選択図】  図１
2006006438.tif 000002
【特許請求の範囲】
【請求項１】
口もとの一方の側部から他方の側部に孔が穿設された動物人形と、前記孔に挿し込まれ祈願内容を記載する巻紙から成ることを特徴とする祈願動物人形。
【請求項２】
孔に巻紙が抜けることを防止する固定手段が設けられていることを特徴とする請求項１記載の祈願動物人形。
【請求項３】
固定手段は孔内に設けられ、内周面に膨らみ部を有するリングであることを特徴とする請求項２記載の祈願動物人形。
【請求項４】
固定手段は孔内に設けた突部であることを特徴とする請求項２記載の祈願動物人形。
【請求項５】
固定手段は孔内に出没可能に設けられ、孔内に挿し込まれた巻紙の側部を押圧する押圧部材であることを特徴とする請求項２記載の祈願動物人形。
【請求項６】
動物人形又は巻紙、或いは動物人形と巻紙に神社又は仏閣の名称が表されていることを特徴とする請求項１から５のいずれかに記載の祈願動物人形。
【請求項７】
動物人形は馬であることを特徴とする請求項１から６のいずれかに記載の祈願動物人形。
【発明の詳細な説明】
【技術分野】
【０００１】
本発明は、入学試験の合格、商売繁盛等を祈願するための祈願動物人形に関するものである。
【背景技術】
【０００２】
馬は古来より神社、仏閣に祈願又は報謝のため深い関係にあり、入学試験の合格、商売繁盛、恋愛成就、健康等の祈願をするため、一般的に絵馬を神社で購入し、絵馬に祈願内容を記載し、神社の境内等に吊り下げ神社に奉納されている。
【０００３】
しかし、絵馬にこれらの祈願内容を記入して奉納すると、誰にでも目に触れ読まれる状態になるため、絵馬を奉納することを躊躇する場合がある。
この問題点を解決するため、実開平５ー７０３７０の絵馬に提案されているように、絵馬本体内に願い事を記入した書面等を封入するための空所を形成したものがある。
【０００４】
又、従来は購入した絵馬に祈願内容を記載した後、そのまま神社に置いておく慣習となっているため、奉納時に強い祈願の気持ちがあっても、目の届かない所では日が経つと次第に祈願の気持ちが薄れてしまい、向上・努力の心の支えとしての価値も失われてしまうものである。
【特許文献１】実開平５ー７０３７０
【発明の開示】
【発明が解決しようとする課題】
【０００５】
上記点より、本発明は祈願内容が家族や知人等の目に触れることがないと共に、自分の部屋等の身近で目の届く所に置き、祈願の強い気持ちが薄れることなく、祈願内容の目的に向けて向上・努力の心の支えとしての価値を有する祈願動物人形を提供しようとするものである。
【課題を解決するための手段】
【０００６】
上記課題を解決するため請求項１記載の本発明祈願動物人形は、口もとの一方の側部から他方の側部に孔が穿設された動物人形と、前記孔に挿し込まれ祈願内容を記載する巻紙から成ることを特徴とするものである。
【０００７】
このような構成とすることにより、動物人形と巻紙を購入して、巻紙に祈願内容を記載し、巻紙を巻いて動物人形の口もとに設けた孔に挿し込んで神社、仏閣で祈祷を行い、持ち帰るか或いは境内の特定の場所に吊り下げておくか、又は神社、仏閣で祈祷済みの動物人形と巻紙を購入した後、持ち帰って巻紙に祈願内容を記載し、巻紙を巻いて動物人形の口もとに設けた孔に挿し込んで自分の部屋等に置いておけば、祈願内容は外見から目に触れることがないので、家族や知人等に内容を知られることがない。
【０００８】
そして、動物人形を自分の部屋等に置けば、常時身近で目の届く所に置かれているため祈願内容を忘れることがなく、祈願当時の強い気持ちを持ち続け、祈願内容の目的に向かって向上・努力を続けることに寄与できる。
又、巻紙を孔に挿し込んだ姿は恰も模造動物が巻紙をくわえた外観を呈し、置物人形或いは吊り下げ人形として好適である。
【０００９】
次に、請求項２記載の本発明祈願動物人形は、請求項１記載の祈願動物人形において、孔に巻紙が抜けることを防止する固定手段が設けられていることを特徴とするものである。
【００１０】
このような構成とすることにより、孔から巻紙が抜け落ちることを防止できる。
【００１１】
次に、請求項３記載の本発明祈願動物人形は、請求項２記載の祈願動物人形において、固定手段は孔内に設けられ、内周面に膨らみ部を有するリングであることを特徴とするものである。
【００１２】
このような構成とすることにより、巻紙をきつく巻いて孔に挿し込めば、巻紙の巻きが戻るとリングの膨らみ部に巻紙が圧接し、孔から巻紙が抜け落ちることが防止される。
【００１３】
次に、請求項４記載の本発明祈願動物人形は、請求項２記載の祈願動物人形において、固定手段は孔内に設けた突部であることを特徴とするものである。
【００１４】
このような構成とすることにより、巻紙をきつく巻いて孔に挿し込めば、巻紙の巻きが戻ると突部に巻紙が圧接し、孔から巻紙が抜け落ちることが防止される。
【００１５】
次に、請求項５記載の本発明祈願動物人形は、請求項２記載の祈願動物人形において、固定手段は孔内に出没可能に設けられ、孔内に挿し込まれた巻紙の側部を押圧する押圧部材であることを特徴とするものである。
【００１６】
このような構成とすることにより、巻紙を巻いて孔に挿し込む時は、孔内から押圧部材を引っ込め、巻紙を挿し込んだ後に押圧部材を突出すれば、巻紙は押圧部材により押圧され、孔から巻紙が抜け落ちることが防止される。
【００１７】
次に、請求項６記載の本発明祈願動物人形は、請求項１から５のいずれかに記載の祈願動物人形において、動物人形又は巻紙、或いは動物人形と巻紙に神社又は仏閣の名称が表されていることを特徴とするものである。
【００１８】
このような構成とすることにより、自分の信ずる神社又は仏閣に祈願していることで、願い事がかなう気持ちが強くなり、安心感があると共に気持ちが平穏となり、又合格祈願の試験勉強等では精神の安定化を図ることができる。
【００１９】
次に、請求項７記載の本発明祈願動物人形は、請求項１から６のいずれかに記載の祈願動物人形において、動物人形は馬であることを特徴とするものである。
【００２０】
このような構成とすることにより、古来から神社、仏閣に関係のある祈願又は報謝のための馬を型取ってあるため、絵馬のような感覚で使用できる。
【発明の効果】
【００２１】
本発明によれば、祈願内容は巻紙に記載した後、巻いて動物人形の口もとに設けた孔に挿し込んでおくため、外見から目に触れることがないので家族や知人等に内容を知られることがない。
又、動物人形は古来から神社、仏閣に深い関係のある祈願又は報謝のための馬を型取っておけば、巻紙を孔に差し込んだ姿は恰も馬が巻紙をくわえた外観を呈し、動物人形として好適なものである。
又、孔内に巻紙が抜けることを防止する固定手段を設けてあるため、巻紙が孔から抜け落ち紛失することが防止される。
【００２２】
又、動物人形は絵馬のように神社、仏閣におくのではなく、持ち帰って身近で目の届く所に置物としておくことができるので、祈願内容を忘れることがなく、祈願当時の強い気持ちを持ち続け、祈願内容の目的に向かって向上・努力を続けることに寄与でき、心の支えとしての価値を有する効果がある。
【００２３】
又、動物人形又は巻紙、或いは動物人形と巻紙に神社又は仏閣名を表せば、自分の信ずる神社又は仏閣に祈願していることで願い事がかなう気持ちが強くなり、安心感があると共に気持ちが平穏となる。
合格祈願の試験勉強等では精神の安定化を図ることができる効果を有する。そして、祈願成就の後は通常の置物として飾って置くことができる。
【発明を実施するための最良の形態】
【００２４】
以下、本発明を添付図面を参照して説明する。
図１は本発明祈願動物人形の一実施の形態を示す斜視図、図２は同上の断面図、図３乃至図７は固定手段を示した図である。
本発明祈願動物人形は動物人形１と巻紙２から構成されている。
【００２５】
動物人形１は馬を型取った形状で、木製、陶製、金属製、プラスチック製等材質は問わない。又動物人形１に任意模様を表すことができる。
動物人形１の任意箇所に神社又は仏閣の名称３が表されている。名称３は動物人形１に直接に手書きや印刷等で表してもよく、或いは名称３を印刷した貼紙４等を貼り付けてもよい。
又、動物人形１は馬に限らず、それぞれの神社又は仏閣に縁のある動物を採用でき、その年の干支の動物でも良い。
【００２６】
そして、動物人形１の口もとに一方の側部から他方の側部に孔５が穿設されている。
この孔５に巻紙２が巻かれて挿し込まれる。孔５を口もとに設けることで、馬が恰も巻紙２をくわえているような外観としている。
【００２７】
巻紙２は、動物人形１と同様に内側面に神社又は仏閣の名称３が印刷等により表されている。そして、巻紙２の内側面に購入者は入学試験の合格祈願の場合には志望校名等、恋愛成就祈願の場合には相手の名前等を記載することができ、その他、商売繁盛祈願、健康祈願等の願い事や禁酒、禁煙等の誓い事等の祈願内容を記載する。
【００２８】
そして、祈願内容を記載した巻紙２を巻いて、動物人形１の口もとの孔５に挿し込んでおくため、家族、知人等に内容が目に触れることがない。必要であれば巻紙２を巻いた後に、巻紙２の端部に糊等の接着剤や粘着テープ等で巻紙２が開かないよう止着して置くこともできる。
尚、図中６は紐等を取り付ける吊り下げ用環である。
【００２９】
図３乃至図７は、孔５に巻紙２を巻いて挿し込んだ後、巻紙２が孔５から抜けることを防止するために設けた固定手段を表している。
図３は、孔５内に内周面に膨らみ部７ａを形成したリング７を固着したもので、巻紙２をきつく巻いて挿し込めば、巻紙２はリング７内を挿通し、巻紙２の巻きが戻ると膨らみ部７ａに巻紙２の側部が圧接し、巻紙２が抜けることが防止される。
図４はリング７の断面図を示している。
【００３０】
図５は、孔５内に突部８を設けたものであり、この場合もリング７と同様に突部８に巻紙２の側部が圧接し、巻紙２が抜けることが防止される。
【００３１】
図６は、孔５内に外側から孔５内に押圧部材であるピン９が挿通する貫通孔１０を設け、ピン９を出没可能に設けたものであり、通常は動物人形１の外側に設けたケース１１内のスプリング１２がピン９に設けた係止片９ａを孔５側に押し、ピン９の先端部が孔５内に突出するよう付勢されており、巻紙２を挿し込む時は、ピン９の頭部９ｂを摘まんでスプリング１２に抗して引くことにより、ピン９の先端部を引っ込め、巻紙２を孔５内に挿し込み、頭部９ｂを離せばスプリング１２の作用でピン９の先端部が孔５内に突出し、巻紙２の側部を押圧し、巻紙２が抜けることが防止される。
【００３２】
図７は、孔５内に外側から押圧部材である蝶ネジ１３が挿通する貫通孔１４を設け、蝶ネジ１３を出没可能に設けたものであり、貫通孔１４の外側にナット１５を固着し、ナット１５に蝶ネジ１３を螺合することで巻紙２を孔５内に挿し込んだ後に蝶ネジ１３が孔５側に進むよう回し、先端部を孔５内に突出することで巻紙２の側部を押圧し、巻紙２が抜けることが防止される。
【００３３】
以上、本発明を実施形態に基づき具体的に説明したが、本発明は上記実施形態に何ら限定されるものではなく、例えば、巻紙２を孔５内に固定する固定手段等本発明の趣旨を逸脱しない範囲内で種々の改良、変形が可能である。
【図面の簡単な説明】
【００３４】
【図１】本発明祈願動物人形の一実施の形態を示す斜視図である。
【図２】本発明祈願動物人形に巻紙を挿し込んだ状態の断面図である。
【図３】本発明祈願動物人形の一実施の形態を示す部分斜視図である。
【図４】本発明祈願動物人形の孔内に設けるリングの断面図である。
【図５】本発明祈願動物人形の一実施の形態を示す部分断面図である。
【図６】本発明祈願動物人形の一実施の形態を示す部分断面図である。
【図７】本発明祈願動物人形の一実施の形態を示す部分断面図である。
【符号の説明】
【００３５】
１  動物人形
２  巻紙
３  名称
４  貼紙
５  孔
６  吊り下げ用環
７  リング
７ａ  膨らみ部
８  突部
９  ピン
１３  蝶ネジ
【図１】
2006006438.tif 000003
【図２】
2006006438.tif 000004
【図３】
2006006438.tif 000005
【図４】
2006006438.tif 000006
【図５】
2006006438.tif 000007
【図６】
2006006438.tif 000008
【図７】
2006006438.tif 000009